(57)【特許請求の範囲】
【請求項１】
互いに連結されることにより固定されるメス部材及びオス部材と、前記メス部材と前記オス部材との間に着脱可能に取り付けられているアダプタとからなるバックルであって、
前記メス部材は、本体部にベルト孔が設けられるとともに、前記本体部の両側には一対の支持アームが同方向に延出しており、一対の前記支持アームの間には空間を備え、それぞれの前記支持アームには、前記本体部と反対側が開放された中空の接続孔が形成され、さらに一対の前記支持アームの外側側部には開口部が設けられており、
前記オス部材は、本体部にベルト孔が設けられるとともに、前記本体部の両側には各々が弾性アームと挿入連結端とを有する一対の挿入連結部が同方向に延出しており、
前記アダプタは、両側に嵌合部が形成された連結部が設けられ、前記嵌合部は前記メス部材の二本の支持アームの間に固定される、ことを特徴とするバックル。
【請求項２】
前記メス部材は、それぞれの前記支持アームの内側に係止突起が設けられており、前記アダプタは、前記係止突起に係合する係止凹部が前記嵌合部に設けられている、ことを特徴とする請求項1に記載のバックル。
【請求項３】
前記メス部材は、それぞれの前記支持アームにおける前記開口部の周縁に係止壁を有し、前記オス部材は、それぞれの前記挿入連結部における前記挿入連結端の外側に段差状の係止部が形成され、前記メス部材と前記オス部材とは、前記係止部が前記係止壁に係止されることにより、互いに固定されることを特徴とする請求項1に記載のバックル。
【請求項４】
前記メス部材は、それぞれの前記支持アームにおける前記接続孔の対向する内側に前記オス部材を案内する案内溝が刻設されている、ことを特徴とする請求項1に記載のバックル。
【請求項５】
前記オス部材は、一対の前記弾性アームの内側に突出する案内突起と、前記案内突起の端部から前記本体部側に向けて形成された案内斜面と、前記案内斜面の前記本体部側の端部において前記弾性アームの内側に突出して設けられた位置決め部と、を有する、ことを特徴とする請求項4に記載のバックル。
【請求項６】
それぞれの前記弾性アームは、前記案内斜面及び前記位置決め部の外側にΩ状の緩衝板を有し、前記案内斜面、前記位置決め部及び前記緩衝板で囲まれた弾性空間が形成される、ことを特徴とする請求項5に記載のバックル。
【請求項７】
前記オス部材は、それぞれの前記挿入連結端の外側に傾斜面を有し、二つの前記傾斜面間の距離は前記本体部側に向けて徐々に広がる、ことを特徴とする請求項1に記載のバックル。
【請求項８】
前記アダプタは、前記嵌合部の上側を覆う水平遮蔽板が設けられている、ことを特徴とする請求項1に記載のバックル。
【請求項９】
前記アダプタは、前記水平遮蔽板における側縁部の底面に、前記メス部材の本体部および前記オス部材の本体部の外形に合わせて外側に向けて徐々に縮小する斜面が形成されている、ことを特徴とする請求項８に記載のバックル。
【請求項１０】
前記アダプタの中央には、一つ以上の垂直貫通孔が設けられている、ことを特徴とする請求項1に記載のバックル。
【請求項１１】
前記アダプタは、対応する物品を保持または固定可能な接合部が前記連結部の上方に設けられている、ことを特徴とする請求項1に記載のバックル。
【請求項１２】
前記接合部は、上方に開口を有する略Ｕ字状の板体であり、前記板体の底部における内周面の直径は、前記内周面の曲率方向における前記開口の幅よりも大きく、前記開口の上方には、前記曲率方向における幅が上方ほど大きくなるように形成された案内斜面を備えている、ことを特徴とする請求項１１に記載のバックル。
【請求項１３】
前記アダプタの接合部上にはベルト孔が設けられている、ことを特徴とする請求項１１に記載のバックル。
【請求項１４】
前記アダプタの連結部の上部には固定軸孔が設けられており、前記接合部の底部には、前記固定軸孔内に着脱可能に連結する円形突起が設けられており、前記接合部の上方には、Ｕ字状溝列が設けられている、ことを特徴とする請求項１１に記載のバックル。
【請求項１５】
前記アダプタの連結部の上部には固定軸孔が設けられており、そして前記接合部の底部には、前記固定軸孔内に着脱可能に連結する円形突起が設けられ、前記接合部の上方には、上向きのフックが設けられている、ことを特徴とする請求項１１に記載のバックル。
【請求項１６】
前記アダプタの連結部の上部には長尺状溝が設けられており、そして前記接合部の底部には前記連結部の長尺状溝内にスライド可能に保持されるスライダが設けられており、前記接合部の上部には、棒状体または容器を係止可能な係止爪が設けられている、ことを特徴とする請求項１１に記載のバックル。
【発明の詳細な説明】
【技術分野】
【０００１】
本発明はバックルであって、とりわけストラップベルトがメス部材、オス部材に通して設けられて、しかもメス部材、オス部材の中央部にアダプタが着脱可能に取り付けられており、異なる機能のアダプタにより特定用途における使用に運用する。
【背景技術】
【０００２】
現在、バックル (留め具)は非常に普遍的なものになっており、このうち一部のバックルの大半はオス部材、メス部材で二本のベルト状体（革ベルト、布製ベルト、ストラップベルト）の自由端を可動的に通して設けるか、または固定接続している。そして二本のベルト状体の他端は物品上に固定されることで、オス部材、メス部材とが対向接続されて固定された後、ベルト状体の締弛または二本のベルト状体に対して結束固定する目的を達成することができる。この種のオス部材、メス部材のバックルの使用範囲はかなり広汎であり、靴、バッグ、衣類、リュックサック、ウエストポーチ、ウエストベルト、スーツケース、肩掛けベルト、ヘルメット、自転車用器具（例えば水筒、工具箱または物入れケースなど）、シートベルト（例えば乗り物遊具、ベビーカーなど）またはその他ベルト状体で固定する必要がある物品に応用することができる。また、一般的に異なる形式のバックルは異なる係合方式を有しており、備える機能もまた異なり、使用用途も違ってくる。
【発明の開示】
【発明が解決しようとする課題】
【０００３】
ところで、上記において例示した物品の使用時において、それぞれの物品に他の物品を着脱可能に保持させると便利な場面が多い。例えば、リュックサックを持ってサイクリング、登山、あるいは釣りなどで郊外に出かけるような場面では、当該リュックサックにホルダを取り付けて水筒や修理工具などの物品を着脱可能に保持させることにより、これらの物品が必要なときに容易にホルダから取り外し、使用後にはホルダに再度保持させることができる。
【０００４】
しかしながら、このようなホルダを上記のベルト状体に通してリュックサックに固定した場合、他の種類のホルダへの交換作業が面倒となる。また、複数種類のホルダをリュックサックに固定すると、使用しないホルダが邪魔になり利便性を損なう。
【０００５】
よって、発明者は上記問題および欠点に鑑み、関連する資料を集め、多面的な評価および思索を経て、しかも当業者が積み重ねた長年の経験をもって、絶えず試作および修正を重ねて、このような斬新構造の発明が設計されたわけである。
【課題を解決するための手段】
【０００６】
本発明のバックルは、互いに連結されることにより固定されるメス部材及びオス部材と、前記メス部材と前記オス部材との間に着脱可能に取り付けられているアダプタとからなるバックルであって、
前記メス部材は、本体部にベルト孔が設けられるとともに、前記本体部の両側には一対の支持アームが同方向に延出しており、一対の前記支持アームの間には空間を備え、それぞれの前記支持アームには、前記本体部と反対側が開放された中空の接続孔が形成され、さらに一対の前記支持アームの外側側部には開口部が設けられており、
前記オス部材は、本体部にベルト孔が設けられるとともに、前記本体部の両側には各々が弾性アームと挿入連結端とを有する一対の挿入連結部が同方向に延出しており、
前記アダプタは、両側に嵌合部が形成された連結部が設けられ、前記嵌合部は前記メス部材の二本の支持アームの間に固定される、ことを特徴とする。
【０００７】
即ち、上記構成のバックルによれば、メス部材、オス部材にはストラップベルトが通して設けられて使用され、そして着脱可能に取り付けられているアダプタは異なる構造設計により特定用途における使用に運用することができるので、このようなバックルの機能を失うことなく、使用に便利で、携行しやすく、しかも適用性を広げる目的を達成することができる。
【０００８】
尚、上記構成のバックルにおいて、前記メス部材は、それぞれの前記支持アームの内側に係止突起が設けられており、前記アダプタは、前記係止突起に係合する係止凹部が前記嵌合部に設けられていることが望ましい。
【０００９】
更に、上記構成のバックルにおいて、前記メス部材は、それぞれの前記支持アームにおける前記開口部の周縁に係止壁を有し、前記オス部材は、それぞれの前記挿入連結部における前記挿入連結端の外側に段差状の係止部が形成され、前記メス部材と前記オス部材とは、前記係止部が前記係止壁に係止されることにより、互いに固定されることが望ましい。
【００１０】
また、上記構成のバックルにおいて、前記メス部材は、それぞれの前記支持アームにおける前記接続孔の対向する内側に前記オス部材を案内する案内溝が刻設されていることが望ましい。
【００１１】
また、上記構成のバックルにおいて、前記オス部材は、一対の前記弾性アームの内側に突出する案内突起と、前記案内突起の端部から前記本体部側に向けて形成された案内斜面と、前記案内斜面の前記本体部側の端部において前記弾性アームの内側に突出して設けられた位置決め部と、を有する、ことが望ましい。
【００１２】
また、上記構成のバックルにおいて、それぞれの前記弾性アームは、前記案内斜面及び前記位置決め部の外側にΩ状の緩衝板を有し、前記案内斜面、前記位置決め部及び前記緩衝板で囲まれた弾性空間が形成される、ことが望ましい。
【００１３】
また、上記構成のバックルにおいて、前記オス部材は、それぞれの前記挿入連結端の外側に傾斜面を有し、二つの前記傾斜面間の距離は前記本体部側に向けて徐々に広がる、ことが望ましい。
【００１４】
また、上記構成のバックルにおいて、前記アダプタは、前記嵌合部の上側を覆う水平遮蔽板が設けられている、ことが望ましい。
【００１５】
また、上記構成のバックルにおいて、前記アダプタは、前記水平遮蔽板における側縁部の底面に、前記メス部材の本体部および前記オス部材の本体部の外形に合わせて外側に向けて徐々に縮小する斜面が形成されている、ことが望ましい。
【００１６】
また、上記構成のバックルにおいて、前記アダプタの中央には、一つ以上の垂直貫通孔が設けられている、ことが望ましい。
【００１７】
また、上記構成のバックルにおいて、前記アダプタは、対応する物品を保持または固定可能な接合部が前記連結部の上方に設けられている、ことが望ましい。
【００１８】
また、上記構成のバックルにおいて、前記接合部は、上方に開口を有する略Ｕ字状の板体であり、前記板体の底部における内周面の直径は、前記内周面の曲率方向における前記開口の幅よりも大きく、前記開口の上方には、前記曲率方向における幅が上方ほど大きくなるように形成された案内斜面を備えている、ことが望ましい。
【００１９】
また、上記構成のバックルにおいて、前記アダプタの接合部上にはベルト孔が設けられている、ことが望ましい。
【００２０】
また、上記構成のバックルにおいて、前記アダプタの連結部の上部には固定軸孔が設けられており、前記接合部の底部には、前記固定軸孔内に着脱可能に連結する円形突起が設けられており、前記接合部の上方には、Ｕ字状溝列が設けられていることが望ましい。
【００２１】
また、上記構成のバックルにおいて、前記アダプタの連結部の上部には固定軸孔が設けられており、そして前記接合部の底部には、前記固定軸孔内に着脱可能に連結する円形突起が設けられ、前記接合部の上方には、上向きのフックが設けられている、ことが望ましい。
【００２２】
また、上記構成のバックルにおいて、前記アダプタの連結部上には長尺状溝が設けられており、そして前記接合部の底部には、前記長尺状溝内でスライド固定可能なスライダが設けられ、前記接合部の上部には、一般的な棒状体上に使用可能な上向き係止爪が設けられている、ことが望ましい。
【発明の効果】
【００２３】
このように、本発明のバックルは、メス部材と、オス部材と、メス部材とオス部材との間に着脱可能に取り付けられているアダプタとからなり、このうちメス部材、オス部材にはストラップベルトが通して設けられて使用され、そして着脱可能に取り付けられているアダプタは異なる構造設計により特定用途における使用に運用することができるので、このようなバックルの機能を失うことなく、使用に便利で、携行しやすく、しかも適用性を広げる目的を達成することができる。
【発明を実施するための最良の形態】
【００２４】
上記目的および効果を達成するために、本発明で採用する技術的手段およびその構造は、ここに図面、つまり本発明の好ましい実施例を挙げて、その特徴および機能を以下のとおり詳しい説明を行うことで、完全なる理解を図るものである。
【００２５】
本発明の第１の好ましい実施例の立体外観図、立体分解図および平面断面図である図１、図２、図３を参照されたい。図中から明確に理解できるように、本発明の実施例に係るバックルは、メス部材１と、オス部材２と、メス部材１とオス部材２との間に着脱可能に取り付けられているアダプタ３とからなり、その主な構造は下記に詳述する。
【００２６】
メス部材１は、中央の本体部１１にベルト孔１１１が設けられるとともに、本体部１１の両側には同方向に支持アーム１２が延出しており、この一対の支持アーム１２の間には空間１０を備え、一対の支持アーム１２の内側、すなわち空間１０側にはそれぞれ係止突起１０１が設けられている。更に、各支持アーム１２には、本体部１１と反対側が開放された中空の接続孔１２０が形成され、さらに一対の支持アーム１２の外側側部には開口部１２１が設けられており、それぞれの支持アーム１２における開口部１２１の周縁には係止壁１２１１を有し、それぞれの支持アーム１２における接続孔１２０の開口壁面１２３の対向する内側にはオス部材を案内する案内溝１２２が刻設されている。
【００２７】
オス部材２は、中央の本体部２１にベルト孔２１１が設けられるとともに、本体部２１の両側には各々が弾性アーム２２１と挿入連結端２２２とを有する一対の挿入連結部２２が同方向に延出している。また、一対の弾性アーム２２１の内側には、内側に突出する案内突起２２１１と、案内突起２２１１の端部から本体部２１側に向けて形成された案内斜面２２１２と、案内斜面２２１２の本体部２１側の端部において弾性アーム２２１の内側に突出して設けられた位置決め部２２１３とが設けられており、さらに、案内斜面２２１２、位置決め部２２１３の外側にはΩ状の緩衝板２２１５が形成されている。そして、案内斜面２２１２、位置決め部２２１３及び緩衝板２２１５で囲まれた部分には、弾性空間２２１４が形成される。また、それぞれの挿入連結端２２２の外側には傾斜面２２２１が形成される。ここで、二つの傾斜面２２２１間の距離は本体部２１側に向けて徐々に広がる。そして傾斜面２２２１から連続して弾性アーム２２１の緩衝板２２１５への接続箇所には、内側に折り返した段差状の係止部２２２２が形成されている。
【００２８】
前記アダプタ３の底側は連結部３１となっており、そして連結部３１の上方は接合部３２となっている。このうち連結部３１の両側にはいずれも嵌合部３１１が形成されており、そして嵌合部３１１には係止凹部３１２が設けられ、しかも嵌合部３１１の間には貫通孔３１３が形成されるとともに、嵌合部３１１および貫通孔３１３上には、嵌合部３１１の上側を覆う水平遮蔽板３１４が設けられており、そして水平遮蔽板３１４における側縁部の底面には、メス部材１の本体部１１およびオス部材２の本体部２１の外形に合わせて外側に向けて徐々に縮小する斜面３１４１が形成されている。また、連結部３１の上方の接合部３２は、上方に開口を有する略Ｕ字状の板体となっている。そして、上記板体の底部における内周面の直径は、当該内周面の曲率方向における上記開口の幅よりも大きい。なお、上記板体の内周面の内側の空間は、後述する棒状体を水平方向から挿入することにより、当該棒状体を保持することのできる係合空間３２１である。そして上記Ｕ字状の板体における上記開口の上方には、上記曲率方向における幅が上方ほど大きくなるように形成された案内斜面３２２が形成される。
【００２９】
本発明の第１の好ましい実施例の立体分解図、平面断面図および組立時の平面断面図である図２、図３、図４を参照されたい。図中から明確に理解できるように、本発明は組立時に、まず、アダプタ３の連結部３１をメス部材１の空間１０に向けて、その嵌合部３１１を嵌合させるとともに空間に沿って二本の支持アーム１２の内壁面を内側に向けて移動させて固定した後、その嵌合部３１１の係止凹部３１２もまた同時に係止突起１０１を嵌入して固定して、更にオス部材２の挿入連結部２２の二つの挿入連結端２２２がメス部材１の支持アーム１２の接続孔１２０に向かって挿入されて、その傾斜面２２２１が開口壁面１２３に押し付けられて、二本の弾性アーム２２１が対向して内側に弾性変形し、案内突起２２１１もまた同時に案内溝１２２内に摺動して、挿入連結部２２が開口部１２１に進入した後、二本の弾性アーム２２１が対向して外側に弾性変形するとともに、案内斜面２２１２、位置決め部２２１３もまた順次案内溝１２２内に押されて移動した後に固定される。
【００３０】
図１、図５を参照されたい。このとき、この係止部２２２２が係止壁１２１１に係止され、しかも緩衝板２２１５もまた開口壁面１２３と係止壁１２１１との間の内壁面にすでに当接して、使用時における揺動を減らすと同時に、アダプタ３はすでに可動的に接合してメス部材１、オス部材２との間に取り付けられることにより、メス部材１、オス部材２、アダプタ３は、互いに連結されることにより固定される。
【００３１】
図４、図５を参照されたい。二本の弾性アーム２２１は押し動かす過程において、案内斜面２２１２、位置決め部２２１３が対向して内側に弾性変形して、そして緩衝板２２１５は形状および弾性空間２２１４により、また押し動かす過程においても対向して内側に弾性変形する。弾性変形するとき、緩衝引張力が生じて、弾性アーム２２１が変形または破断する不具合が発生しにくくなる。
【００３２】
図１、図２を参照されたい。前記嵌合部３１１および貫通孔３１３上には外径の大きな水平遮蔽板３１４が設けられており、この遮蔽板３１４はメス部材１、オス部材２の上面を遮蔽することで、全体的な外観が滑らかな美観となる。
【００３３】
図１、図２、図６を参照されたい。メス部材１は、中央の本体部１１上に、孔を有するベルト孔１１１が設けられており、そして前記オス部材２は、中央の本体部２１上にも、孔を有するベルト孔２１１が設けられている。上記したベルト孔１１１、ベルト孔２１１は、メス部材１の本体部１１、オス部材２の本体部２１の下方に配置されており、ベルト４を通すことができるだけでなく、ベルト４を隠すことができる。これにより、全体的な外観が滑らかとなる。そして上方の接合部３２は、上方に開口を有する略Ｕ字状の板体とされ、その底部における内周面の直径が当該内周面の曲率方向における上記開口の幅よりも大きな係合空間３２１とされ、そして前記係合空間３２１の開口の上方には、上記曲率方向における幅が上方ほど大きくなるように形成された案内斜面３２２を備えており、一般的な棒状体５に連結して固定することができる。
【００３４】
本発明の第２の好ましい実施例の使用時における立体分解図である図７を参照されたい。アダプタ３の中央には、棒状物、フック、布製ベルト、ストラップベルトおよびリング状物品などを通すことができる一つ以上の垂直貫通孔３１５が設けられている。
【００３５】
本発明の第３の好ましい実施例の使用時における立体分解図である図８を参照されたい。アダプタ３の接合部３２上には、布製ベルトを巻回して通して使用するためのベルト孔３２３が設けられている。
【００３６】
本発明の第４の好ましい実施例の使用時における立体分解図である図９を参照されたい。アダプタ３の連結部３１上には固定軸孔３１６が設けられており、そして接合部３２の底部には、固定軸孔３１６内に可動的に対向連結するのに便利な円形突起３２４および上方のＵ字状溝３２５列が設けられている。
【００３７】
本発明の第５の好ましい実施例の使用時における立体分解図である図１０を参照されたい。このうちアダプタ３の接合部３２の上部には固定軸孔３１６が設けられており、そして接合部３２の底部には、固定軸孔３１６内に可動的に対向連結するのに便利な円形突起３２４および一般的なリング状物品を引っ掛けることができる上向きのフック３２６が設けられている。
【００３８】
本発明の第６の好ましい実施例の使用時における立体分解図である図１１を参照されたい。このうちアダプタ３の連結部３１の上部には長尺状溝３１７が設けられており、そして接合部３２の底部には、長尺状溝３１７内にスライド可能に保持されるスライダ３２７および、一般的な棒状体５または薬箱、工具箱などの物品とされ得る容器（図示しない）を係止可能な係止爪３２８が上向きに設けられている。
【００３９】
本発明の第１および第２の好ましい実施例であるバックルのリュックサックへの使用時における立体外観図である図１２を参照されたい。図中から理解できるように、第１および第２の好ましい実施例に係るバックルの各々は、メス部材１、オス部材２、アダプタ３が互いに連結された状態で、オス部材２のベルト孔２１１に通されたベルト４を介してリュックサックに固定され、当該リュックサックのフラップ外側に配される。第１の好ましい実施例におけるアダプタ３の接合部３２は一般的な水筒の棒状体５（本実施例ではストローチューブ）を係合可能である。
【００４０】
また、第２の好ましい実施例におけるアダプタ３上の垂直貫通孔３１５にはストラップベルト４が通されている。したがって、ストラップベルト４に懐中電灯または鍵などの物品を通すことによりこれらの物品をリュックサックに吊下げることができる。このように、本実施例のバックルは、互いの連結および取り外しが容易なメス部材１、オス部材２、アダプタ３で構成され、アダプタ３を容易に他の形状のものに交換することができる。したがって、異なる形状のアダプタ３をリュックサックに複数取り付けておくことなく、様々な物品をリュックサックに吊り下げることができる。
【００４１】
以上のように、本発明は主にベルトをオス部材、メス部材に通して設けることができ、しかもオス部材、メス部材の中央位置に異なる機能を有する複数種類のアダプタを可動的に取り付けることができる。したがって、用途に応じた機能を有するアダプタに容易に交換することができる。ゆえに、本実施例のような接合部を有するアダプタを取り付けることにより、ストローチューブなど対応する物品を保持または固定させることができる。なお、上記した各実施例は単に本発明の好ましい実施例に過ぎず、これにより本発明の特許範囲を限定するものではない。したがって、本発明の明細書および図面の内容を運用してなされる簡易な付加および等価の構造的改変は、いずれも本発明の範囲内に含まれるべきである。
【００４２】
上記をまとめるに、本発明のバックルは使用時において、その効果および目的を確実に達成することができる。よって本発明は確かに実用性に優れた発明であるので、ここに法に基づき特許を出願するものである。審査官殿には本願に一日も早く登録査定が下されることにより、発明者の苦労による発明が保証されることを願うものである。もし貴局におかれては、何らかの疑問がある場合には、発明者は協力を惜しむものではないので、極力書簡にて指示していただきますよう切望する次第である。
【図面の簡単な説明】
【００４３】
【図１】本発明の第１の好ましい実施例の立体外観図である。
【図２】本発明の第１の好ましい実施例の立体分解図である。
【図３】本発明の第１の好ましい実施例の平面断面図である。
【図４】本発明の第１の好ましい実施例の組立時の平面断面図である。
【図５】本発明の第１の好ましい実施例の組立時の平面断面図である。
【図６】本発明の第１の好ましい実施例の使用時における立体外観図である。
【図７】本発明の第２の好ましい実施例の使用時における立体分解図である。
【図８】本発明の第３の好ましい実施例の使用時における立体分解図である。
【図９】本発明の第４の好ましい実施例の使用時における立体分解図である。
【図１０】本発明の第５の好ましい実施例の使用時における立体分解図である。
【図１１】本発明の第６の好ましい実施例の使用時における立体分解図である。
【図１２】本発明の第１および第２の好ましい実施例のリュックサックへの使用時における立体外観図である。
【符号の説明】
【００４４】
１  メス部材                        ２  オス部材
３  アダプタ                        ４  ベルト
５  棒状体                          １０  空間
１１  本体部                        １２  支持アーム
２１  本体部                        ２２  挿入連結部
３１  連結部                        ３２  接合部
１０１  係止突起                    １１１  ベルト孔
１２０  接続孔                      １２１  開口部
１２２  案内溝                      １２３  開口壁面
１２４  突起爪                      ２１１  ベルト孔
２２１  弾性アーム                  ２２２  挿入連結端
３１１  嵌合部                      ３２１  係合空間
３１２  係止凹部                    ３２２  案内斜面
３１３  貫通孔                      ３２３  ベルト孔
３１４  水平遮蔽板                  ３２４  円形突起
３２５  Ｕ字状溝                    ３１５  垂直貫通孔
３２６  フック                      ３１６  固定軸孔
３２７  スライダ                    ３１７  長尺状溝
３２８  係止爪                      １２１１  係止壁
１２１２  傾斜突起                  ２２１３  位置決め部
２２１４  弾性空間                  ２２１５  緩衝板
２２１１  案内突起                  ２２２１  傾斜面
２２１２  案内斜面                  ２２２２  係止部
３１４１  斜面
【図１】
0005103332.tif 000002
【図２】
0005103332.tif 000003
【図３】
0005103332.tif 000004
【図４】
0005103332.tif 000005
【図５】
0005103332.tif 000006
【図６】
0005103332.tif 000007
【図７】
0005103332.tif 000008
【図８】
0005103332.tif 000009
【図９】
0005103332.tif 000010
【図１０】
0005103332.tif 000011
【図１１】
0005103332.tif 000012
【図１２】
0005103332.tif 000013